(57)【要約】【課題】情報出力装置において、広告等の情報を出力しながら当該出力中の情報に関する付加的な情報を発信する。【解決手段】広告情報としてのコンテンツ（ｉｍ，ｍｏ）と当該広告情報に応じたサービス情報としてのコンテンツ情報（Ｓｉ）を含むコンテンツを、クラウドサーバ４０からダウンロードして取得し、当該ダウンロードされた広告情報（コンテンツ（ｉｍ，ｍｏ））を投影パネル１１に投影・表示して装置本体に近寄ったユーザに知らせることができるのと共に、当該表示中の広告情報に応じたクーポン等取得のためのサービス情報（コンテンツ情報（Ｓｉ））を近距離無線通信信号Ｂｔによって発信（ブロードキャスト）し前記ユーザの通信端末３０へ提供できる。【選択図】      図１
2016173670.tif 000002
【特許請求の範囲】
【請求項１】
コンテンツを出力するコンテンツ出力手段と、
前記コンテンツ出力手段により出力されているコンテンツに関する情報をブロードキャストするブロードキャスト手段と、
を備えたことを特徴とする情報出力装置。
【請求項２】
出力対象のコンテンツと当該コンテンツに関する情報を取得する情報取得手段と、
を備え、
前記コンテンツ出力手段は、前記情報取得手段により取得されたコンテンツを出力し、
前記ブロードキャスト手段は、前記情報取得手段により取得された情報であって、前記コンテンツ出力手段により出力されているコンテンツに関する情報をブロードキャストする、
ことを特徴とする請求項１に記載の情報出力装置。
【請求項３】
前記情報取得手段は、出力対象のコンテンツと当該コンテンツに関する情報を複数組み取得し、
前記コンテンツ出力手段は、前記情報取得手段により取得された複数のコンテンツを切り替えながら出力する切り替え出力手段を有し、
前記ブロードキャスト手段は、前記コンテンツ出力手段により出力されているコンテンツが前記切り替え出力手段により切り替えられた場合に、当該切り替えられたコンテンツに関する情報に切り替えてブロードキャストする、
ことを特徴とする請求項２に記載の情報出力装置。
【請求項４】
前記ブロードキャスト手段は、前記コンテンツ出力手段により出力されているコンテンツに関する情報を、近距離無線信号にして発信するビーコン発信手段である、ことを特徴とする請求項１ないし請求項３の何れか１項に記載の情報出力装置。
【請求項５】
前記ブロードキャスト手段は、前記コンテンツ出力手段により出力されているコンテンツに関する情報を、超音波信号にして発信する超音波発信手段である、ことを特徴とする請求項１ないし請求項３の何れか１項に記載の情報出力装置。
【請求項６】
前記コンテンツは広告情報であり、前記コンテンツに関する情報は当該広告情報に関するサービス情報である、ことを特徴とする請求項１ないし請求項５の何れか１項に記載の情報出力装置。
【請求項７】
表示部と発信部を備えた電子機器を制御して情報を出力するための情報出力方法であって、
コンテンツを前記表示部に表示させ、
前記表示部に表示されているコンテンツに関する情報を前記発信部によりブロードキャストする、
ことからなる情報出力方法。
【請求項８】
表示部と発信部を備えた電子機器のコンピュータを制御するためのプログラムであって、
コンテンツを前記表示部に表示させるコンテンツ表示手段、
前記コンテンツ表示手段により表示されているコンテンツに関する情報を前記発信部によりブロードキャストするブロードキャスト手段、
として機能させるためのプログラム。
【発明の詳細な説明】
【技術分野】
【０００１】
本発明は、情報出力装置、情報出力方法、およびその制御プログラムに関する。
【背景技術】
【０００２】
各種の専門店や大型店舗の店頭において、販売対象となる商品の広告を、映像・音声のモニタによってそこを訪れる顧客向けに自動再生することが広く一般に行われている。
【０００３】
一方、店舗の会員カード等を顧客に持たせ、当該会員カード等によって識別される顧客の来店回数が、予め段階的に設定された所定回数に達した場合には、その来店回数に応じたサービス内容のクーポンを出力する情報処理装置が考えられている（例えば、特許文献１参照。）。
【０００４】
また、商業施設内の複数の場所に、Bluetooth（登録商標）等の近距離無線通信を利用したビーコン機器を設置し、各場所に応じたサービス情報をその場所に来たユーザの通信端末を対象に固定的に発信することが行われている。
【先行技術文献】
【特許文献】
【０００５】
【特許文献１】特開２０１４−５２８１６号公報
【発明の概要】
【発明が解決しようとする課題】
【０００６】
従来、広告等の自動再生とサービス情報をユーザ向けに発信することとは別々に行われており、ユーザが広告等の情報を見ながら当該情報に関する付加的なサービス情報をその場で受信して取得することはできなかった。
【０００７】
本発明は、このような課題に鑑みなされたもので、出力中の情報に関する付加的な情報を発信することが可能になる情報出力装置、情報出力方法、およびその制御プログラムを提供することを目的とする。
【課題を解決するための手段】
【０００８】
本発明に係る情報出力装置は、コンテンツを出力するコンテンツ出力手段と、前記コンテンツ出力手段により出力されているコンテンツに関する情報をブロードキャストするブロードキャスト手段と、を備えたことを特徴としている。
【発明の効果】
【０００９】
本発明によれば、出力中の情報に関する付加的な情報を発信することが可能になる。
【図面の簡単な説明】
【００１０】
【図１】本発明の情報出力装置の実施形態に係る電子公告システムの全体構成を示す図。
【図２】前記電子公告システムにおける広告情報出力装置１０の電子回路の構成を示すブロック図。
【図３】前記広告情報出力装置１０のワークメモリ２４におけるＦＬＡＳＨ  ＲＡＭ２４ａとＲＡＭ２４ｂとの間でのデータ構造の一例を示す図。
【図４】前記広告情報出力装置１０による情報出力処理を示すフローチャート。
【図５】前記電子公告システムの通信端末３０による通信端末処理を示すフローチャート。
【発明を実施するための形態】
【００１１】
以下図面により本発明の実施の形態について説明する。
【００１２】
図１は、本発明の情報出力装置の実施形態に係る電子公告システムの全体構成を示す図である。
【００１３】
この電子公告システムは、例えば商業施設の店頭に設置される広告情報出力装置１０と、この広告情報出力装置１０からBluetooth等の近距離無線通信信号Ｂｔによって発信の対象とするユーザの通信端末３０と、前記広告情報出力装置１０と前記通信端末３０のそれぞれに公共の通信ネットワークＮを介して相互に通信可能なクラウドサーバ４０とを備えて構成される。
【００１４】
前記広告情報出力装置１０は、例えば当該広告情報出力装置１０の設置者からの依頼により前記クラウドサーバ４０により生成されて配信された広告情報のコンテンツを再生すると共に、当該再生中のコンテンツ（広告情報）に応じたクーポン等取得用のコンテンツ情報（サービス情報）を前記近距離無線通信信号Ｂｔによって発信（ブロードキャスト）する。
【００１５】
前記通信端末３０は、例えば携帯電話やＰＤＡ(Personal Digital Assistants)であって、前記広告情報出力装置１０から発信されているサービス情報（ＵＲＬ／ＩＤ等）を受信すると共に、当該受信したサービス情報に従って前記クラウドサーバ４０の該当するＷｅｂサイトにアクセスし、クーポン等のサービスコンテンツを受信する。なお、前記通信端末３０には、前記サービス情報（ＵＲＬ／ＩＤ等）に従って該当するＷｅｂサイトにアクセスするためのアプリケーションプログラムを、例えば当該Ｗｅｂサイトから予めダウンロードしてインストールしておく。
【００１６】
前記広告情報出力装置１０は、装置本体の上部に、短焦点型のプロジェクタ（図示せず）により背面から画像が投影されて表示される投影パネル１１を備え、この投影パネル１１には、例えば広告モデルを含む広告画像１２が投影されて表示される。
【００１７】
また、装置本体の前面上部には、メニュー選択ボタン１３ａ〜１３ｄが、前記投影パネル１１の下部に沿って表示される広告コンテンツの選択メニュー１４ａ〜１４ｄの位置に対応して設けられる。
【００１８】
また、装置本体の前面下部には、近距離無線通信部（ビーコン）１５、人感センサ１６が設けられ、当該近距離無線通信部（ビーコン）１５により前記近距離無線通信信号Ｂｔが発信される。
【００１９】
前記人感センサ１６は、装置本体の前方に接近した人物を検出するもので、この人感センサ１６により人物の接近が検出されることに応じて、前記投影パネル１１に対する広告画像１２の表示動作と前記近距離無線通信部１５からのサービス情報の発信動作が開始される。
【００２０】
近距離無線通信部１５は、例えば、Bluetooth Low Energy(登録商標)の通信規格に従い、アドバタイズ（ビーコン）によって、再生しているコンテンツの付加情報をブロードキャストする。
なお、前記近距離無線通信部１５は、装置本体と信号ケーブルを介して接続される別体のものとして構成してもよい。
【００２１】
そして、前記装置本体の前面パネルには、液晶表示部１７、ＮＦＣ(Near Field Communication)リーダ／ライタ１８も設けられる。
【００２２】
図２は、前記電子公告システムにおける広告情報出力装置１０の電子回路の構成を示すブロック図である。
【００２３】
この広告情報出力装置１０の電子回路は、コンピュータであるＣＰＵ２１を備え、当該ＣＰＵ２１は、ＲＯＭ２２に予め記憶された装置制御プログラム、あるいは通信ネットワークＮ上のプログラムサーバ（図示せず）からネットワーク通信部２５を介してダウンロードされた装置制御プログラム、あるいは外部メモリ接続部２３を介してメモリカード（図示せず）から読み込まれた装置制御プログラムに従い回路各部の動作を制御する。
【００２４】
前記ＣＰＵ２１には、前記メニュー選択ボタン１３ａ〜１３ｄを含む操作ボタン１３、前記近距離無線通信部１５、前記人感センサ１６、前記投影パネル１１による投影表示部（プロジェクタ）および前記液晶表示部１７を含む表示出力部２６、前記ＮＦＣリーダ／ライタ１８、前記ＲＯＭ２２、前記外部メモリ接続部２３、前記ネットワーク通信部２５が接続される他に、ＦＬＡＳＨ  ＲＯＭ２４ａおよびＲＡＭ２４ｂを備えたワークメモリ２４、スピーカ２７が接続される。  
【００２５】
図３は、前記広告情報出力装置１０のワークメモリ２４におけるＦＬＡＳＨ  ＲＯＭ２４ａとＲＡＭ２４ｂとの間でのデータ構造の一例を示す図である。
【００２６】
本実施形態の広告情報出力装置１０により出力される広告情報のコンテンツは、前記クラウドサーバ４０により生成されてダウンロードされ、外部メモリ接続部２３を介して一旦外部のメモリカード（図示せず）に保存される。
【００２７】
そして、前記メモリカードに保存されたコンテンツ群は、図３（Ａ）に示すように、前記ワークメモリ２４内のＦＬＡＳＨ  ＲＯＭ２４ａに書き出され、後述の情報出力処理に伴いその個々のコンテンツが、図３（Ｂ）に示すように、順番にＲＡＭ２４ｂに読み出されて再生される。
【００２８】
前記コンテンツ群に含まれる各コンテンツ（Ｎ，Ｎ＋１，…）には、以下のように、例えば４種類のコンテンツが含まれる。
【００２９】
<content’s info>ｉ:コンテンツの情報（コンテンツ名・再生スケジュール等）
<content’s image>ｉｍ:コンテンツ表示用の静止画画像
<content’s movie>ｍｏ：コンテンツの再生動画
<content’s send info>ｓｉ：コンテンツに応じた発信情報（ＵＲＬ／ＩＤ等）
なお、前記クラウドサーバ４０により生成された広告情報のコンテンツは、外部ＰＣにダウンロードして前記メモリカードに保存してもよい。
【００３０】
このように構成された広告情報出力装置１０は、前記ＣＰＵ２１がプログラムに記述された命令に従い回路各部の動作を制御し、ソフトウエアとハードウエアとが協働して動作することにより、以下の動作説明で述べる情報出力機能を実現する。
【００３１】
次に、前記構成の電子公告システムの動作について説明する。
【００３２】
図４は、前記広告情報出力装置１０による情報出力処理を示すフローチャートである。
【００３３】
先ず、前記広告情報出力装置１０の設置者からの依頼に応じてクラウドサーバ４０により生成されたコンテンツ（ｉ，ｉｍ，ｍｏ，ｓｉ）がネットワーク通信部２５を介して複数組みダウンロードされ、外部メモリ接続部２３に接続されたメモリカードに保存される（ステップＳ１）。
【００３４】
前記メモリカードに保存されたコンテンツ群は、図３（Ａ）で示したように、ワークメモリ２４のＦＬＡＳＨ  ＲＯＭ２４ａに書き出される（ステップＳ２）。
【００３５】
前記ＦＬＡＳＨ  ＲＯＭ２４ａに書き込まれたコンテンツ群は、図３（Ｂ）で示したように、個々のコンテンツ毎（Ｎ，Ｎ＋１，…）にＲＡＭ２４ｂに読み出される（ステップＳ３）。
【００３６】
すると、前記ＲＡＭ２４ｂに読み出されたコンテンツ（ｉ，ｉｍ，ｍｏ，ｓｉ）のうち、<content’s image>（静止画画像）ｉｍと<content’s movie>（動画）ｍｏが、<content’s info>（再生スケジュール）ｉに従い広告情報として再生され、投影パネル１１に投影・表示される（ステップＳ４）。
【００３７】
また、前記ＲＡＭ２４ｂに読み出されたコンテンツ（ｉ，ｉｍ，ｍｏ，ｓｉ）のうち、<content’s send info>（ＵＲＬ／ＩＤ等）ｓｉが、サービス情報として近距離無線通信部１５から一定時間間隔で繰り返し発信（ブロードキャスト）される（ステップＳ５）。
【００３８】
前記コンテンツ再生処理（ステップＳ４）とコンテンツ情報発信処理（ステップＳ５）は、前記<content’s info>（再生スケジュール）ｉに記述された連続再生時間または連続再生回数に応じて繰り返し実行される（ステップＳ６（Ｎｏ）→Ｓ７（Ｎｏ）→Ｓ４，Ｓ５）。
【００３９】
そして、前記コンテンツ再生処理（ステップＳ４）とコンテンツ情報発信処理（ステップＳ５）の繰り返しが前記連続再生時間または連続再生回数に達したことでコンテンツの切り替えが発生したと判断されると（ステップＳ６（Ｙｅｓ））、前記ＦＬＡＳＨ  ＲＯＭ２４ａに書き込まれたコンテンツ群から、次のコンテンツがＲＡＭ２４ｂに読み出される（ステップＳ３）。
【００４０】
すると、前記同様に、前記ＲＡＭ２４ｂに読み出された次のコンテンツの<content’s image>（静止画画像）ｉｍと<content’s movie>（動画）ｍｏが、<content’s info>（再生スケジュール）ｉに従い広告情報として再生され、投影パネル１１に投影・表示される（ステップＳ４）と共に、<content’s send info>（ＵＲＬ／ＩＤ等）ｓｉが、サービス情報として近距離無線通信部１５から一定時間間隔で繰り返し発信（ブロードキャスト）される（ステップＳ５）。
【００４１】
この後、前記人感センサ１６により装置本体近くの人物が検出されなくなるか、あるいは本装置１０の設置者の操作に応じて停止が指示されたと判断されると（ステップＳ７（Ｙｅｓ））、前記一連の情報出力処理が終了される。
【００４２】
図５は、前記電子公告システムの通信端末３０による通信端末処理を示すフローチャートである。
【００４３】
通信端末３０は、先ず、ユーザ操作に応じて、前記広告情報出力装置１０の再生対象となるコンテンツ（広告情報）の生成元であるクラウドサーバ４０のＷｅｂサイトにアクセスし、当該サイトのサービスを受けるためのアプリケーションプログラムをインストールする（ステップＴ１）。
【００４４】
この後、前記通信端末３０を持ったユーザが前記広告情報出力装置１０に近寄ってそこに再生されているコンテンツ（広告情報）を見ることに伴い、当該広告情報出力装置１０からの近距離無線通信信号Ｂｔにより発信されているコンテンツ情報<content’s send info>（ＵＲＬ／ＩＤ等）ｓｉが受信されると（ステップＴ２（Ｙｅｓ））、受信されたコンテンツ情報（ＵＲＬ／ＩＤ等）ｓｉに応じて前記クラウドサーバ４０の該当するＷｅｂサイトにアクセスされる（ステップＴ３）。
【００４５】
そして、前記アクセスされた前記クラウドサーバ４０のＷｅｂサイトからクーポン等のサービス情報が受信されると（ステップＴ４（Ｙｅｓ））、当該サービス情報が表示部等に出力されて表示され、前記広告情報出力装置１０で再生された広告情報のコンテンツに関係するサービスが受けられる（ステップＴ５）。
【００４６】
したがって、前記構成の電子公告システムの広告情報出力装置１０によれば、広告情報としてのコンテンツ（ｉｍ，ｍｏ）と当該広告情報に応じたサービス情報としてのコンテンツ情報（Ｓｉ）を含むコンテンツを、クラウドサーバ４０からダウンロードして取得し、当該ダウンロードされた広告情報（コンテンツ（ｉｍ，ｍｏ））を投影パネル１１に投影・表示して装置本体に近寄ったユーザに知らせることができるのと共に、当該表示中の広告情報に応じたクーポン等取得のためのサービス情報（コンテンツ情報（Ｓｉ））を近距離無線通信信号Ｂｔによって発信（ブロードキャスト）し前記ユーザの通信端末３０へ提供できる。
【００４７】
これにより、ユーザが広告等の情報を見ながら当該情報に関する付加的なサービス情報をその場で受信して取得することができる。
【００４８】
また、前記構成の電子公告システムの広告情報出力装置１０によれば、前記クラウドサーバ４０から、複数の広告情報（コンテンツ（ｉｍ，ｍｏ））と当該各広告情報（コンテンツ（ｉｍ，ｍｏ））に対応するサービス情報（コンテンツ情報（Ｓｉ））とをダウンロードして取得し、前記投影パネル１１に順番に投影・表示される広告情報（コンテンツ（ｉｍ，ｍｏ））が切り替わった際には、当該切り替わった広告情報に応じて該当するサービス情報が発信（ブロードキャスト）される。
【００４９】
これにより、複数種類の広告等の情報に応じた複数種類のクーポン等のサービス情報をユーザに効果的に提供できる。
【００５０】
なお、前記実施形態の広告情報出力装置１０では、投影パネル１１に投影・表示される
広告情報（コンテンツ（ｉｍ，ｍｏ））に応じたサービス情報（コンテンツ情報（Ｓｉ））を、Bluetoothを使用した近距離無線通信部１５によって発信（ブロードキャスト）する構成としたが、スピーカ２７から出力する超音波信号によって発信する構成としてよい。
【００５１】
前記各実施形態において記載した電子公告システムによる各処理の手法、すなわち、図４のフローチャートに示す広告情報出力装置１０による情報出力処理、図５のフローチャートに示す通信端末３０による通信端末処理等の各手法は、何れもコンピュータに実行させることができるプログラムとして、メモリカード（ＲＯＭカード、ＲＡＭカード等）、磁気ディスク（フロッピ（登録商標）ディスク、ハードディスク等）、光ディスク（ＣＤ−ＲＯＭ、ＤＶＤ等）、半導体メモリ等の外部記録装置の媒体に格納して配布することができる。そして、表示装置（１１）と通信装置（１５）を備えた電子機器のコンピュータ（ＣＰＵ）は、この外部記憶装置の媒体に記憶されたプログラムを記憶装置に読み込み、この読み込んだプログラムによって動作が制御されることにより、前記実施形態において説明した情報出力機能を実現し、前述した手法による同様の処理を実行することができる。
【００５２】
また、前記各手法を実現するためのプログラムのデータは、プログラムコードの形態として通信ネットワークＮ上を伝送させることができ、この通信ネットワークＮに接続されたコンピュータ装置（プログラムサーバ）から前記プログラムのデータを表示装置（１１）と通信装置（１５）を備えた電子機器に取り込んで記憶装置に記憶させ、前述した情報出力機能を実現することもできる。
【００５３】
本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が異なる形態にして組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【００５４】
以下に、本願出願の当初の特許請求の範囲に記載された発明を付記する。
【００５５】
［１］
コンテンツを出力するコンテンツ出力手段と、
前記コンテンツ出力手段により出力されているコンテンツに関する情報をブロードキャストするブロードキャスト手段と、
を備えたことを特徴とする情報出力装置。
【００５６】
［２］
出力対象のコンテンツと当該コンテンツに関する情報を取得する情報取得手段と、
を備え、
前記コンテンツ出力手段は、前記情報取得手段により取得されたコンテンツを出力し、
前記ブロードキャスト手段は、前記情報取得手段により取得された情報であって、前記コンテンツ出力手段により出力されているコンテンツに関する情報をブロードキャストする、
ことを特徴とする請求項１に記載の情報出力装置。
【００５７】
［３］
前記情報取得手段は、出力対象のコンテンツと当該コンテンツに関する情報を複数組み取得し、
前記コンテンツ出力手段は、前記情報取得手段により取得された複数のコンテンツを切り替えながら出力する切り替え出力手段を有し、
前記ブロードキャスト手段は、前記コンテンツ出力手段により出力されているコンテンツが前記切り替え出力手段により切り替えられた場合に、当該切り替えられたコンテンツに関する情報に切り替えてブロードキャストする、
ことを特徴とする［２］に記載の情報出力装置。
【００５８】
［４］
前記ブロードキャスト手段は、前記コンテンツ出力手段により出力されているコンテンツに関する情報を、近距離無線信号にして発信するビーコン発信手段である、ことを特徴とする［１］ないし［３］の何れかに記載の情報出力装置。
【００５９】
［５］
前記ブロードキャスト手段は、前記コンテンツ出力手段により出力されているコンテンツに関する情報を、超音波信号にして発信する超音波発信手段である、ことを特徴とする［１］ないし［３］の何れかに記載の情報出力装置。
【００６０】
［６］
前記コンテンツは広告情報であり、前記コンテンツに関する情報は当該広告情報に関するサービス情報である、ことを特徴とする［１］ないし［５］の何れかに記載の情報出力装置。
【００６１】
［７］
表示部と発信部を備えた電子機器を制御して情報を出力するための情報出力方法であって、
コンテンツを前記表示部に表示させ、
前記表示部に表示されているコンテンツに関する情報を前記発信部によりブロードキャストする、
ことからなる情報出力方法。
【００６２】
［８］
表示部と発信部を備えた電子機器のコンピュータを制御するためのプログラムであって、
コンテンツを前記表示部に表示させるコンテンツ表示手段、
前記コンテンツ表示手段により表示されているコンテンツに関する情報を前記発信部によりブロードキャストするブロードキャスト手段、
として機能させるためのプログラム。
【符号の説明】
【００６３】
１０  …広告情報出力装置
１１  …投影パネル
１２  …広告画像
１５  …近距離無線通信部
１６  …人感センサ
２１  …ＣＰＵ
２２  …ＲＯＭ
２３  …外部メモリ接続部
２４  …ワークメモリ
２４ａ…ＦＬＡＳＨ  ＲＯＭ
２４ｂ…ＲＡＭ
２５  …ネットワーク通信部
２６  …表示出力部
２７  …スピーカ
３０  …通信端末
４０  …クラウドサーバ
【図１】
2016173670.tif 000003
【図２】
2016173670.tif 000004
【図３】
2016173670.tif 000005
【図４】
2016173670.tif 000006
【図５】
2016173670.tif 000007